(57)【要約】【課題】情報の流出を防ぐ機能を備えた表示装置を提供する。【解決手段】表示装置は、データを記憶する記憶部と、前記記憶部が記憶する前記データを不揮発的に表示する表示部と、自装置の表示書き換え機能の喪失を予測する予測部と、前記予測部が前記機能の喪失を予測した場合、前記表示部の表示を変更する画面制御部と、を備える。【選択図】図１
2018097005.tif 000002
【特許請求の範囲】
【請求項１】
データを不揮発的に表示する表示部と、
自装置の表示書き換え機能の喪失を予測する予測部と、
前記予測部が前記機能の喪失を予測した場合、前記表示部の表示を変更する画面制御部と、
を備える表示装置。
【請求項２】
前記予測部は、所定の回路に対する通電チェックの結果に基づいて表示書き換え機能が喪失すると予測する、
請求項１に記載の表示装置。
【請求項３】
前記予測部は、自装置の筐体の歪量が所定の閾値以上の場合、表示書き換え機能が喪失すると予測する、
請求項１から請求項２の何れか１項に記載の表示装置。
【請求項４】
前記予測部は、自装置に加わる速度または加速度が所定の閾値以上の場合、表示書き換え機能が喪失すると予測する、
請求項１から請求項３の何れか１項に記載の表示装置。
【請求項５】
前記画面制御部に表示の書き換え指示を行う表示書換指示部、
をさらに備え、
前記予測部は、前記表示書換指示部が表示の書き換えを指示した場合に、前記画面制御部が表示書き換え処理を実行する実績に基づいて、表示書き換え機能の喪失を予測する、
請求項１から請求項４の何れか１項に記載の表示装置。
【請求項６】
前記画面制御部は、前記表示部に表示したデータが秘密情報である場合に、前記表示部の表示を変更する
請求項１から請求項５の何れか１項に記載の表示装置。
【請求項７】
データを記憶する記憶部、
をさらに備え、
前記画面制御部は、前記予測部が前記機能の喪失を予測した場合、前記記憶部の内容を消去する、
請求項１から請求項６の何れか１項に記載の表示装置。
【請求項８】
前記画面制御部が前記表示部の表示を変更する前に、前記記憶部のデータを自装置に接続された他装置に退避する表示データ退避部をさらに備える
請求項７に記載の表示装置。
【請求項９】
他装置に退避したデータを前記他装置から取得し、前記記憶部に記録する表示データ取得部、
をさらに備える請求項８に記載の表示装置。
【請求項１０】
請求項８または請求項９に記載の表示装置と、
前記表示装置と接続されたサーバ端末装置と、
を備え、
前記表示データ退避部は、前記記憶部のデータを前記サーバ端末装置に退避する、
表示システム。
【請求項１１】
データを不揮発的に表示し、
自装置の表示書き換え機能の喪失を予測し、
前記機能の喪失を予測した場合、前記表示を変更する、
表示制御方法。
【請求項１２】
データを不揮発的に表示する表示装置のコンピュータを、
自装置の表示書き換え機能の喪失を予測する手段、
前記機能の喪失を予測した場合、前記表示を変更する手段、
として機能させるためのプログラム。
【発明の詳細な説明】
【技術分野】
【０００１】
本発明は、表示装置、表示システム、表示制御方法及びプログラムに関する。
【背景技術】
【０００２】
電子ペーパー等を用いた表示装置の場合、電源をオフにしても一旦表示したデータを表示させたままにすることができる。このような表示装置に秘密情報を表示すると電源オフ後も秘密情報の表示が残るため、情報流出のリスクがある。この問題に対し、例えば、特許文献１には、給電の停止から一定時間が経過すると表示装置に表示された表示内容を消去する技術が開示されている。
【０００３】
また、特許文献２には、複数のユーザで使用する表示装置に利用期限や利用回数が定められていて、それらの制限を超えた場合にその表示装置を回収する仕組みの中で、情報流出を防ぐための技術が開示されている。例えば、表示装置の回収が必要になるイベントとして、利用期限や利用回数への到達、表示装置の動作不良を検出し、それらのイベントが検出されると表示装置の表示内容を回収先の宛先情報に変更し、メモリからデータを削除する方法が記載されている。
【先行技術文献】
【特許文献】
【０００４】
【特許文献１】特開２００４−６９９６５号公報
【特許文献２】特開２０１２−３２９２６号公報
【発明の概要】
【発明が解決しようとする課題】
【０００５】
しかし、特許文献１の方法では、表示内容を消去する前に落下などで表示装置の表示内容を消去する回路が動作しなくなった場合、秘密情報の表示が継続するため情報流出のリスクがある。また、特許文献２の方法は、動作不良を検出した後であっても、表示内容の変更やメモリからのデータ削除が可能であることを前提としており、落下による衝撃で表示内容の変更などを行う機能が発揮できなくなるような故障が生じた場合には、やはり、秘密情報の表示が残り、情報が流出するリスクがあった。
【０００６】
そこで本発明は、上述した解題を解決する表示装置、表示システム、表示制御方法及びプログラムを提供することを目的としている。
【課題を解決するための手段】
【０００７】
本発明の第１の態様は、データを不揮発的に表示する表示部と、自装置の表示書き換え機能の喪失を予測する予測部と、前記予測部が前記機能の喪失を予測した場合、前記表示部の表示を変更する画面制御部と、を備える表示装置である。
【０００８】
また、本発明の第２の態様は、データを不揮発的に表示し、自装置の表示書き換え機能の喪失を予測し、前記機能の喪失を予測した場合、前記表示を変更する、表示制御方法である。
【０００９】
また、本発明の第３の態様は、前記画面制御部が前記表示部の表示を変更する前に、前記記憶部のデータを自装置に接続された他装置に退避する情報退避部をさらに備える前記表示装置と、前記表示装置と接続されたサーバ端末装置と、を備え、前記情報退避部は、前記記憶部のデータを前記サーバ端末装置に退避する、表示システムである。
【００１０】
また本発明の第４の態様は、データを不揮発的に表示する表示装置のコンピュータを、自装置の表示書き換え機能の喪失を予測する手段、前記機能の喪失を予測した場合、前記表示を変更する手段、として機能させるためのプログラムである。
【発明の効果】
【００１１】
本発明によれば、端末の表示が変更できなくなるような故障の発生を予測し、表示を消去することができる。
【図面の簡単な説明】
【００１２】
【図１】本発明に係る一実施形態における表示装置の最小構成を示す図である。
【図２】本発明に係る一実施形態における表示システムの一例を示す図である。
【図３】本発明に係る一実施形態における表示装置の概略図である。
【図４】本発明に係る一実施形態における表示消去処理フローの一例を示す図である。
【図５】本発明に係る一実施形態における表示データリカバリー処理フローの一例を示す図である。
【発明を実施するための形態】
【００１３】
以下、本発明の表示装置を図１〜図５を参照して説明する。
図１は、本発明に係る一実施形態における表示装置の最小構成を示す図である。
本発明の表示装置１０は、図１に示すように、少なくとも表示部１１と、予測部１３と、画面制御部１４と、を備える。
表示部１１は、データを不揮発的に表示する。不揮発的に表示とは、ある表示データを表示させた後、給電を停止した後もその表示データを表示し続けることをいう。表示部１１は、例えば、電気泳動ディスプレイである。電気泳動ディスプレイは、データの書き換え時のみ電力を消費し、電源を停止しても表示データが残る表示媒体である。また、表示部１１は、例えば、専用ペンによるデータ入力が可能である。
【００１４】
予測部１３は、表示装置１０の表示書き換え機能の喪失を予測する。上述のとおり、表示部１１に一旦、データの表示を行うと、次に説明する画面制御部１４が表示データの書き換えを行わない限り、その表示が残る性質を有している。予測部１３は、画面制御部１４による表示データの書き換え機能の喪失を予測する。書き換え機能の喪失は、例えば、表示装置１０に落下などによる強い衝撃が加わったり、筐体を変形させる強い力が加わったり、画面制御を行う回路に劣化などによる不具合が生じた場合に起こる。予測部１３は、表示装置１０に加わる加速度、変形（歪）、回路の動作不良を検出し、その検出結果に基づいて表示書き換え機能の喪失を予測する。
【００１５】
画面制御部１４は、表示部１１に表示される表示内容を制御する。例えば、画面制御部１４は、表示部１１にユーザが所望するデータを表示したり、表示部１１に表示されたデータを消去したりする。ユーザが所望するデータとは、例えば、後述する記憶部１２が記憶するデータ、または、表示部１１に対して入力されたデータである。特に、本実施形態においては、画面制御部１４は、予測部１３が表示書き換え機能の喪失を予測した場合、表示部１１の表示を変更（消去）する。
【００１６】
図２は、本発明に係る一実施形態における表示システムの一例を示す図である。
図２に示す通り、表示システムは、表示装置１０と、データ管理装置２０とを含んで構成される。データ管理装置２０は、１台または複数台の表示装置１０、とネットワークを介して接続されている。
表示装置１０は、表示部１１と、記憶部１２と、予測部１３と、画面制御部１４と、表示データ退避部１５と、表示データ取得部１６と、通信部１７と、検出センサ１８と、表示書換指示部１９と、を備える。
表示部１１と、予測部１３と、画面制御部１４については図１を用いて説明したとおりである。
記憶部１２は、表示部１１に表示するデータを記憶する。
表示データ退避部１５は、記憶部１２が記憶するデータをデータ管理装置２０に送信することでそのデータを退避（バックアップ）する。
表示データ取得部１６は、データ管理装置２０から表示部１１に表示するデータを取得し、記憶部１２に書き込んで記憶させる。
通信部１７は、データ管理装置２０との通信を行う。
検出センサ１８は、表示書き換え機能の喪失を判定するための情報を検出するセンサである。
表示書換指示部１９は、画面制御部１４に表示書き換え命令を行う。例えば、ユーザがあるデータの表示を指示する操作を表示装置１０に行った場合、表示書換指示部１９は、ユーザが指示したデータの表示を画面制御部１４に指示する。
【００１７】
データ管理装置２０は、認証部２１と、表示データ配信部２２と、記憶部２３と、通信部２４と、を備える。
認証部２１は、表示装置１０からの接続要求があった場合に、その表示装置１０の認証を行う。
表示データ配信部２２は、表示装置１０からデータの要求があった場合に、表示装置１０へ配信するデータを選択する。また、表示データ配信部２２は、表示装置１０からデータの退避要求があった場合に、表示装置１０から退避データを取得する。
記憶部２３は、表示装置１０へ配信するデータを記憶する。
通信部２４は、表示装置１０との通信を行う。
【００１８】
本実施形態の表示システムにおいてデータ管理装置２０は、表示装置１０で表示するデータ（コンテンツなど）を表示装置１０ごとに管理している。表示装置１０は、ユーザの操作に応じて、データ管理装置２０からデータを取得し表示部１１にそのデータを表示する。また、表示装置１０は、表示部１１に表示したデータに対してユーザからの変更があった場合などに、その変更後のデータをデータ管理装置２０に送信して、バックアップを取る。
【００１９】
ところで、表示装置１０に表示するデータには、秘密情報も含まれる。表示部１１は、給電を停止しても表示データが残る性質を有しているので、ユーザが意図してデータを消去しなければ表示部１１には、秘密情報が表示されたままの状態となり、情報が流出するリスクがある。また、ユーザが表示部１１の表示を消すことに成功したとしても、記憶部１２には、秘密情報が記憶されている。その為、表示装置１０ごと盗難された場合などに、記憶部１２が記憶する秘密情報を盗み取られる可能性があり、ユーザは、記憶部１２が記憶する秘密情報を消去しなければならない。このよう情報流出リスクに対し、例えば、データの表示後、一定期間が経過すると、表示部１１に表示されたデータを消去し、記憶部１２が記憶するデータを削除する制御を行うことなどが考えられる。しかしながら、そのような制御だけでは、例えば、表示装置１０を落としてしまい故障させてしまった場合などに、その制御を実行する回路が破損され、表示部１１に秘密情報の表示が残ったままになったり、記憶部１２に秘密情報が残ったままになったりする可能性がある。
【００２０】
そこで、本実施形態では、表示部１１の表示書き換え機能の喪失や記憶部１２からデータを削除する機能が喪失される状況となることを予測し、表示部１１の表示を消去または変更したり、記憶部１２のデータを削除したりして、情報の流出を防止する。
【００２１】
図３は、本発明に係る一実施形態における表示装置の概略図である。
表示装置１０は、歪センサ１８Ａ〜１８Ｄ、加速度センサ１８Ｅを備えている。また、表示装置１０は、表示部１１にデータを表示する制御回路の通電チェックを行う図示しない通電センサを１つまたは複数備えている。
具体的には、図３で示されるように、歪センサ１８Ａは表示部１１の上縁部に沿うように配置され、歪センサ１８Ｂは表示部１１の右縁部に沿うように配置され、歪センサ１８Ｃは表示部１１の下縁部に沿うように配置され、歪センサ１８Ｄは表示部１１の左縁部に沿うように配置されている。予測部１３は、歪センサ１８Ａ〜１８Ｄで検出された表示装置１０の歪量が所定の閾値を超えた場合、表示書き換え機能の喪失につながる曲げなどの筐体の変形が生じると予測する。
加速度センサ１８Ｅは、表示装置１０の任意の位置に配置され、表示装置１０の移動に係る加速度を検出する。予測部１３は、加速度センサ１８Ｅで検出された加速度が所定の閾値を超えた場合、表示書き換え機能の喪失につながる衝撃が生じると予測する。
図示しない通電センサは、例えば、制御回路に電流が流れている状態で当該回路の電圧を検出する。予測部１３は、通電センサの検出した電圧が所定の範囲外となった場合に、表示書き換え機能の喪失につながる回路の動作不良が生じると予測する。
【００２２】
図４は、本発明に係る一実施形態における表示消去処理フローの一例を示す図である。
図４を用いて、予測部１３が表示書き換え機能の喪失を予測し、画面制御部１４が表示部１１の表示を消去または変更する処理について説明する。
まず、表示装置１０は、データ管理装置２０から表示データをダウンロードする（ステップＳ１１）。具体的には、ユーザの操作により、表示データ取得部１６は、ユーザが指定する表示部１１に表示するための表示データを、データ管理装置２０へ要求する。通信部１７は、要求する表示データの識別情報、ＩＤとパスワード等の認証情報をデータ管理装置２０へ送信する。データ管理装置２０では、通信部２４が表示データの識別情報と認証情報を受信し、表示データの識別情報と認証情報とを認証部２１へ出力する。認証部２１は、表示装置１０から受信した認証情報についてそのユーザがその表示データをダウンロードできるかどうかについて認証を行う。認証が失敗した場合、通信部２４は、認証失敗を表示装置１０へ通知する。認証が成功した場合、認証部２１は、表示データの識別情報を表示データ配信部２２へ出力する。表示データ配信部２２は、記憶部２３から識別情報が示す表示データを読み出して、通信部２４を介して表示装置１０に送信する。表示装置１０では、表示データ取得部１６が、通信部１７を介して取得した表示データを記憶部１２に書き込む。
【００２３】
次に、表示書換指示部１９は、ユーザが指定した表示データの表示を画面制御部１４に指示する。画面制御部１４は、記憶部１２からユーザが指定した表示データを読み出し、表示部１１に表示する（ステップＳ１２）。画面制御部１４が表示データを表示部１１に表示するとその後も、表示書換指示部１９は、ユーザの操作に基づいて、ページ送りなど表示の書き換えを画面制御部１４に指示する。画面制御部１４は、表示書換指示部１９の指示を受けて表示の書き換えを行う。また、画面制御部１４は、ユーザが表示部１１に入力した入力データを、表示データと紐付けて記憶部１２へ書き込んだりする。
【００２４】
一方、画面制御部１４が表示部１１の表示データを書き換えるなどの制御を行っている間、予測部１３は、検出センサ１８から表示装置１０の歪量、表示装置１０の加速度、表示制御回路の通電チェックにおける電圧値などを取得し、表示書き換え機能の喪失を予測する（ステップＳ１３）。例えば、予測部１３は、歪センサ１８Ａ〜１８Ｄから取得した歪量が所定の閾値を超えた場合に、それ以上、表示装置１０が変形すると、表示部１１の表示を消去したり、表示内容を書き換えたりする機能を提供する回路が故障すると予測する。このとき、例えば、表示書き換え機能を提供する回路が配置された位置と、歪センサ１８Ａ〜１８Ｄによって検出された歪の位置とを比較して、歪を検出した位置が当該回路の近傍であり、かつ、その歪量が所定の閾値を超えた場合に表示書き換え機能の喪失を予測してもよい。あるいは、表示書き換え機能を提供する回路が配置された位置の近傍にある方向の歪（例えば、ひねりが加わった場合）が発生し、かつ、その歪量が所定の閾値を超えた場合に表示書き換え機能の喪失を予測してもよい。
【００２５】
また、例えば、予測部１３は、加速度センサ１８Ｅから取得した加速度またはその加速度に基づいて計算した速度が所定の閾値を超えた場合に、表示装置１０に衝撃が加わり、表示部１１の表示を消去したり、表示内容を書き換えたりする機能を提供する回路が故障すると予測する。例えば、表示装置１０が落下して地面と衝突した場合に表示書き換え機能を提供する回路が故障するときの落下速度の閾値を記憶部１２が記憶しており、予測部１３は、加速度センサ１８Ｅから取得した所定時間における加速度から表示装置１０が落下していると判定し、更にそのときの落下速度が閾値を超えると、表示書き換え機能が喪失すると予測してもよい。
また、例えば、予測部１３は、表示装置１０が備える所定の回路について通電センサから取得した電圧値などが所定の範囲内にない場合に、表示部１１の表示を消去したり、表示内容を書き換えたりする機能を提供する回路が故障すると予測する。
また、予測部１３は、表示書換指示部１９が表示の書き換えを指示した場合に、画面制御部１４が実際に表示書き換え処理を実行する実績に基づいて、表示書き換え機能の喪失を予測する。具体的には、例えば、予測部１３は、表示書換指示部１９が画面制御部１４に表示書き換え指示を行ってから、画面制御部１４が表示書き換えを行うまでの時間を監視する。そして、表示書換指示部１９が画面制御部１４に表示書き換え指示を行ってから、画面制御部１４が表示書き換えを行うまでの時間が所定の閾値以上の場合、予測部１３は、表示内容を書き換える機能が喪失すると予測する。あるいは、表示書換指示部１９が画面制御部１４に表示書き換え指示を行って、実際に画面制御部１４が表示書き換え処理を行った割合（１０回指示したが実際には５回しか表示書き換え処理を実行しないなど）が、所定の値に達しない場合、予測部１３は、表示内容を書き換える機能が喪失すると予測する。あるいは、表示書換指示部１９が画面制御部１４に表示書き換え指示を行ったにもかかわらず、画面制御部１４が表示の書き換えを行わない場合、予測部１３は、表示内容を書き換える機能が喪失すると予測する。
また、例えば、表示書換指示部１９が画面制御部１４に表示書き換え指示を行っているにもかかわらず、画面制御部１４からエラーが返され、画面制御部１４がその指示を受け取らないような場合、例えば、エラーが返される回数が所定の閾値以上になると、予測部１３は、表示内容を書き換える機能が喪失すると予測する。あるいは、一時間以上、画面制御部１４が表示書き換え指示を受け取らないような場合、予測部１３は、表示内容を書き換える機能が喪失すると予測する。
【００２６】
予測部１３が表示書き換え機能の喪失を予測しない場合（ステップＳ１３；Ｎｏ）、ステップＳ１２からの処理を繰り返す。予測部１３が表示書き換え機能の喪失を予測した場合（ステップＳ１３；Ｙｅｓ）、予測部１３は、表示の停止を指示する信号を画面制御部１４へ出力する。次に画面制御部１４は、表示部１１の表示を消去する（ステップＳ１４）。または、画面制御部１４は、表示部１１に表示したデータを、秘密性がない他のデータに書き換える。
【００２７】
次に、表示データ退避部１５は、現在表示している表示データについて、ユーザが追加や変更を行った表示データと対応付けて記録されたデータ（更新データ）を記憶部１２から読みだして、通信部１７を介してデータ管理装置２０へアップロードする（ステップＳ１５）。具体的には、表示データ退避部１５は、更新データのバックアップをデータ管理装置２０へ要求する。通信部１７は、更新データが存在する表示データの識別情報、更新データ、ＩＤとパスワード等の認証情報をデータ管理装置２０へ送信する。データ管理装置２０では、通信部２４が表示データの識別情報、更新データ、認証情報を受信し、表示データの識別情報と認証情報とを認証部２１へ出力する。認証部２１は、表示装置１０から受信した認証情報について認証を行う。認証が失敗した場合、通信部２４は、認証失敗を表示装置１０へ通知する。認証が成功した場合、認証部２１は、表示データの識別情報、更新データ、認証情報を表示データ配信部２２へ出力する。表示データ配信部２２は、更新データを、表示データの識別情報及び認証情報及び現在時刻と対応付けて記憶部２３へ書き込む。
【００２８】
表示データ退避部１５が、通信部１７を介して更新データなどをデータ管理装置２０へ送信すると、画面制御部１４は、表示データと表示データに対応付けて書き込まれた更新データを記憶部１２から削除する（ステップＳ１６）。
【００２９】
本実施形態によれば、表示装置１０が故障や破壊によって表示の消去ができなくなるような状況が起こることを予測し、表示部１１に表示された秘密情報を消去したり、記憶部１２が記憶する秘密情報を削除したりすることができる。これにより、電源オフ時や秘密情報の閲覧終了をトリガーにして秘密情報を消去できる情報流出防止機能を備えた表示装置において、表示の消去が行われる前に、表示装置１０を故障や破壊した際に表示が残ってしまうリスクを防止することができる。また、その際、記憶部１２の秘密情報を削除するので、第三者が故障した表示装置１０から秘密情報を取り出すことを防止することができる。
【００３０】
なお、上記の処理フローでは、表示部１１に表示されている表示データ（コンテンツ）について、表示を消去したり記憶部１２のデータを削除したりする場合を例に説明を行ったが、表示部１１に表示されたている表示データが秘密情報のときだけ、表示の消去・書き換え及び記憶部１２からのデータ削除を行うようにしてもよい。この場合、記憶部１２には、表示データの識別情報と、秘密情報かどうかを区分する区分フラグと、表示データと、が対応付けられて書き込まれており、予測部１３は、区分フラグの値が表示データが秘密情報であることを示す場合のみ、ステップＳ１３以降の処理を行うようにしてもよい。
【００３１】
また、現在表示部１１に表示されている表示データは秘密情報ではないが、記憶部１２は、他の表示データも記憶しており、その中に秘密情報が含まれている場合、秘密情報だけを記憶部１２から削除するようにしてもよい。その場合、予測部１３は、記憶部１２が記憶するすべてのコンテンツに対して区分フラグの値をチェックし、秘密情報が含まれている場合のみ、ステップＳ１３以降の処理を行うようにしてもよい。
このようにすれば、例えば、秘密情報を入手したい者が、表示装置１０を盗難し、記憶部１２以外を破壊して記憶部１２を取出して秘密情報を入手しようと試みた場合などの情報流出のリスクを軽減することができる。
【００３２】
図５は、本発明に係る一実施形態における表示データリカバリー処理フローの一例を示す図である。
図５を用いて、表示データのリカバリー処理について説明を行う。
前提として、図４で説明した処理フローによって、表示データのバックアップをデータ管理装置２０へ保存し、表示装置１０の記憶部１２からその表示データを削除してあるものとする。また、予測部１３は、表示装置１０の表示書き換え機能が喪失すると予測したが実際には、表示装置１０は表示書き換え機能を喪失しなかったものとする。図５で説明する処理は、ユーザが予測部１３の予測によって削除された表示データを引き続き表示装置１０で閲覧するために必要な処理である。
【００３３】
まず、ユーザの操作により、表示データ取得部１６は、ユーザが指定する表示データを、データ管理装置２０へ要求する（ステップＳ２１）。具体的には、通信部１７は、要求する表示データの識別情報、認証情報をデータ管理装置２０へ送信する。データ管理装置２０では、認証部２１が、通信部２４を介して表示データの識別情報と認証情報を取得しそのユーザがその表示データをダウンロードできるかどうかについて認証を行う（ステップＳ２２）。認証が失敗した場合、通信部２４は、認証失敗を表示装置１０へ通知する。認証が成功した場合、認証部２１は、表示データの識別情報を表示データ配信部２２へ出力する。表示データ配信部２２は、記憶部２３から識別情報が示す表示データ及び識別情報に対応付けられた更新データを読み出して、通信部２４を介して表示装置１０に送信する。
【００３４】
表示装置１０では、表示データ取得部１６が、通信部１７を介してユーザ情報に対応した表示データなどを取得し（ステップＳ２３）、取得した表示データなどを記憶部１２に書き込む。次に画面制御部１４は、記憶部１２からデータ管理装置２０へ要求した表示データを読みだして、表示部１１に表示する（ステップＳ２４）。
【００３５】
これにより、ユーザは、表示データが表示書き換え機能喪失の予測により削除された場合であっても、データ管理装置２０から表示データのバックアップを取得して、削除前の表示データを閲覧することができる。
なお、予測部１３が、表示装置１０の表示書き換え機能が喪失すると予測し、実際に、表示装置１０は表示書き換え機能を喪失した場合、ユーザは、新たな表示装置１０を入手し表示書き換え機能を喪失した表示装置１０と同じ認証情報を設定することで、データ管理装置２０から表示データのバックアップを取得することができる。
【００３６】
なお、上述した表示装置１０における各処理の過程は、プログラムの形式でコンピュータ読み取り可能な記録媒体に記憶されており、このプログラムを表示装置１０のコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。
【００３７】
また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
また、表示装置１０は、１台のコンピュータで構成されていても良いし、通信可能に接続された複数のコンピュータで構成されていてもよい。
【００３８】
その他、本発明の趣旨を逸脱しない範囲で、上記した実施の形態における構成要素を周知の構成要素に置き換えることは適宜可能である。例えば、動画データは音声データや静止画像の画像データでもよい。また、この発明の技術範囲は上記の実施形態に限られるものではなく、本発明の趣旨を逸脱しない範囲において種々の変更を加えることが可能である。データ管理装置２０は、サーバ端末装置の一例である。
【符号の説明】
【００３９】
１０・・・表示装置
１１・・・表示部
１２・・・記憶部
１３・・・予測部
１４・・・画面制御部
１５・・・表示データ退避部
１６・・・表示データ取得部
１７・・・通信部
２０・・・データ管理装置
２１・・・認証部
２２・・・表示データ配信部
２３・・・記憶部
２４・・・通信部
【図１】
2018097005.tif 000003
【図２】
2018097005.tif 000004
【図３】
2018097005.tif 000005
【図４】
2018097005.tif 000006
【図５】
2018097005.tif 000007